(57)【特許請求の範囲】
【請求項１】
被検体にＸ線を照射するＸ線管と、
前記被検体を透過したＸ線を検出するＸ線検出器と、
前記Ｘ線検出器の温度を検出する第１のセンサ及び第２のセンサと、
前記Ｘ線検出器を加熱するヒータと、
前記ヒータの近傍に配置され、前記ヒータの過熱により発生する気体状の所定の物質を検出する第３のセンサと、
前記第１のセンサから生成される第１のデータが限界温度よりも高い場合、又は前記限界温度以下であり且つ許容上限温度よりも高い範囲で所定の時間単調に増加している場合に前記第１のデータが異常であると判定し、前記第１のデータが前記許容上限温度以下である場合に前記第１のデータが正常であると判定し、前記第２のセンサから生成される第２のデータが限界温度よりも高い場合、又は前記限界温度以下であり且つ許容上限温度よりも高い範囲で所定の時間単調に増加している場合に前記第２のデータが異常であると判定し、前記第２のデータが前記許容上限温度以下である場合に前記第２のデータが正常であると判定し、第３のデータが許容上限濃度よりも高い場合に前記第３のデータが異常であると判定し、前記第３のデータが前記許容上限濃度以下である場合に前記第３のデータが正常であると判定し、前記第１乃至第３のデータの内少なくとも２つのデータが正常と判定された場合に前記第１のデータ又は前記第２のデータのうち正常と判定されたいずれかのデータに基づいて前記ヒータを駆動制御し、前記第１乃至第３のデータの内の少なくとも２つのデータが異常である場合に前記ヒータの駆動を停止する加熱制御部と、
を備えたことを特徴とするＸ線ＣＴ装置。
【請求項２】
前記加熱制御部は、
前記第１乃至第３のデータの内の少なくとも２つのデータが正常と判定された場合、
前記第１のデータ及び前記第２のデータが正常であり、前記第１のデータ又は前記第２のデータが前記許容上限温度よりも低い許容下限温度未満である場合、又は前記第１のデータ或いは前記第２のデータの一方のデータが異常であり、他方のデータが前記許容下限温度未満である場合に前記ヒータを加熱駆動し、
前記第１のデータ或いは前記第２のデータの一方のデータが異常であり、他方のデータが前記許容下限温度以上である場合、又は前記第１のデータ及び前記第２のデータが正常であり、前記第１のデータ及び前記第２のデータが前記許容下限温度以上である場合に前記ヒータの加熱駆動を停止することを特徴とする請求項１に記載のＸ線ＣＴ装置。
【請求項３】
前記第１乃至第３のデータの内のいずれか１つのデータが異常である場合、当該データが異常であることを示す警告情報を表示出力する表示部を有することを特徴とする請求項１又は請求項２のいずれかに記載のＸ線ＣＴ装置。
【請求項４】
前記第１乃至第３のデータの内の少なくとも２つのデータが異常である場合、前記Ｘ線管のＸ線照射を停止させることを特徴とする請求項１乃至請求項３のいずれかに記載のＸ線ＣＴ装置。
【発明の詳細な説明】
【技術分野】
【０００１】
本発明の実施形態は、Ｘ線検出器を加熱するヒータを備えたＸ線ＣＴ装置に関する。
【背景技術】
【０００２】
Ｘ線ＣＴ装置は、被検体にＸ線を照射して撮影を行う架台部と、撮影により架台部で生成されたＸ線投影データを再構成して画像データを生成する画像処理部とを備えている。そして、架台部は、被検体の周囲を回転して被検体にＸ線を照射するＸ線管、被検体を透過したＸ線を検出するＸ線検出器、及びＸ線検出器で検出された信号を収集してＸ線投影データを生成するデータ収集部等の各ユニットを備えている。
【０００３】
ところで、Ｘ線ＣＴ装置には、Ｘ線検出器の温度を室温よりも高い一定の温度に保つために、Ｘ線検出器を加熱するヒータ、Ｘ線検出器の温度を検出する温度センサ及び加熱されたＸ線検出器を冷却する冷却ファンが設けられている。そして、Ｘ線検出器の温度影響による画像データの画質の低下を防いでいる。
【先行技術文献】
【特許文献】
【０００４】
【特許文献１】特開２０１１−１９４２２３号公報
【発明の概要】
【発明が解決しようとする課題】
【０００５】
しかしながら、温度センサの故障によりヒータが過熱して周囲のＸ線検出器や各ユニットの電子部品にダメージを与える問題がある。また、ヒータを構成しているゴム等の材料が溶けてガスを発生し、周囲の被検体や医療従事事者などに不快感を与える問題がある。
【０００６】
実施形態は、上記問題点を解決するためになされたもので、ヒータの過熱による周囲への悪影響を防止することができるＸ線ＣＴ装置を提供することを目的とする。
【課題を解決するための手段】
【０００７】
上記問題を解決するために、実施形態のＸ線ＣＴ装置は、被検体にＸ線を照射するＸ線管と、被検体を透過したＸ線を検出するＸ線検出器と、Ｘ線検出器の温度を検出する第１のセンサ及び第２のセンサと、Ｘ線検出器を加熱するヒータと、ヒータの近傍に配置され、ヒータの過熱により発生する気体状の所定の物質を検出する第３のセンサと、第１のセンサから生成される第１のデータが限界温度よりも高い場合、又は限界温度以下であり且つ許容上限温度よりも高い範囲で所定の時間単調に増加している場合に第１のデータが異常であると判定し、第１のデータが許容上限温度以下である場合に第１のデータが正常であると判定し、第２のセンサから生成される第２のデータが限界温度よりも高い場合、又は限界温度以下であり且つ許容上限温度よりも高い範囲で所定の時間単調に増加している場合に第２のデータが異常であると判定し、第２のデータが許容上限温度以下である場合に前記第２のデータが正常であると判定し、第３のデータが許容上限濃度よりも高い場合に第３のデータが異常であると判定し、第３のデータが許容上限濃度以下である場合に第３のデータが正常であると判定し、第１乃至第３のデータの内少なくとも２つのデータが正常であると判定された場合に第１のデータ又は第２のデータのうち正常と判定されたいずれかのデータに基づいてヒータを駆動制御し、第１乃至第３のデータの内の少なくとも２つのデータが異常である場合にヒータの駆動を停止する加熱制御部とを備えたことを特徴とする。
【図面の簡単な説明】
【０００８】
【図１】実施形態に係るＸ線ＣＴ装置の構成を示す図。
【図２】実施形態に係る加熱部の構成を示す図。
【図３】実施形態に係る加熱部の構成を示す図。
【図４】実施形態に係る第１及び第２のデータの判定に用いる温度の各閾値を示す図。
【図５】実施形態に係るＸ線ＣＴ装置の動作を示すフローチャート。
【発明を実施するための形態】
【０００９】
以下、図面を参照して実施形態を説明する。
【００１０】
図１は、実施形態に係るＸ線ＣＴ装置の構成を示した図である。このＸ線ＣＴ装置１００は、被検体Ｐが移動可能に載置される寝台部１０と、寝台部１０に載置された被検体ＰにＸ線を照射して撮影を行う架台部２０と、架台部２０で撮影により生成されるＸ線投影データに基づいて画像データを生成する画像処理部４０とを備えている。また、寝台部１０に載置された被検体Ｐの移動や架台部２０の撮影に関するＸ線の照射条件等の入力を行なう操作部５０と、寝台部１０、架台部２０、及び画像処理部４０を制御するシステム制御部６０とを備えている。
【００１１】
寝台部１０は、架台部２０の正面側近傍に配置され、被検体Ｐが載置される天板１１と、天板１１を上下方向及び長手方向へ移動する天板駆動部１２とを備えている。そして、天板駆動部１２は、被検体Ｐが載置された天板１１を架台部２０の撮影が可能な位置へ移動する。
【００１２】
架台部２０は正面側と背面側の間を貫通する円筒状の開口部２０ａを有する。そして、寝台部１０の天板１１の長手方向への移動により開口部２０ａへ送り込まれる被検体Ｐに対してＸ線を照射するＸ線管２１と、開口部２０ａを介してＸ線管２１に対向配置され、被検体Ｐを透過したＸ線を検出するＸ線検出器２２と、Ｘ線検出器２２で検出された信号に基づいてＸ線投影データを生成するデータ収集部２３とを備えている。
【００１３】
また、架台部２０は、データ収集部２３で生成されたＸ線投影データを画像処理部４０に伝送するデータ伝送部２４と、Ｘ線管２１に高電圧を供給する高電圧発生部２５と、Ｘ線検出器２２を加熱する加熱部２６と、Ｘ線管２１、Ｘ線検出器２２、データ収集部２３、データ伝送部２４、高電圧発生部２５及び加熱部２６を被検体Ｐの周りを回転可能に保持する回転フレーム２７と、回転フレーム２７を矢印Ｒ１方向へ回転駆動する回転駆動部２８とを備えている。
【００１４】
更に、架台部２０は、開口部２０ａを除く架台部２０の大部分を覆う架台カバー２９と、架台カバー２９の底部に設けた吸気口３０と、架台カバー２９上部近傍に設けた排気口３１と、外部の空気を吸気口３０から架台カバー２９内に流入させて架台カバー２９内の空気を排気口３１から流出させることにより架台カバー２９内のＸ線検出器２２を含む各ユニットを冷却するＸ線検出器２２及び排気口３１近傍に配置された複数のファン３２とを備えている。
【００１５】
Ｘ線管２１は、高電圧発生部２５の照射駆動によりＸ線を発生する。そして、撮影のときに天板１１上に載置された被検体Ｐの周囲を回転しながらＸ線を照射する。また、Ｘ線検出器２２は円弧状をなし、Ｘ線の入射により蛍光を発するシンチレータ及びこのシンチレータからの蛍光を電気信号に変換する光電変換素子を有する。そして、被検体Ｐの周囲を回転しながら被検体Ｐを透過したＸ線を検出する。そして、その検出信号をデータ収集部２３に出力する。
【００１６】
データ収集部２３は、アナログ／デジタル変換回路等を有する電子回路基板を備え、Ｘ線検出器２２の外周に配置される。そして、Ｘ線検出器２２から出力される信号をデジタル信号に変換し、その変換したデジタル信号を回転フレーム２７の所定の撮影角度回転毎に収集してＸ線投影データを生成する。
【００１７】
データ伝送部２４は、例えば光通信手段により送受信する一対の送受信部を有する。そして、データ収集部２３からのＸ線投影データを画像処理部４０に出力し、システム制御部６０からの制御信号を回転フレーム２７に保持された各ユニットに伝送する。
【００１８】
高電圧発生部２５は、Ｘ線管２１を照射駆動するための高電圧を発生する。また、加熱部２６は、Ｘ線検出器２２を室温よりも高い所定の温度に上げるためにＸ線検出器２２を加熱し、Ｘ線検出器２２が所定の温度に達すると加熱を停止する。
【００１９】
回転フレーム２７は、Ｘ線管２１、Ｘ線検出器２２、データ収集部２３、データ伝送部２４の一方の送受信部、高電圧発生部２５及び加熱部２６を保持する。そして、撮影のときにＲ１方向へ回転し、撮影以外のときに、Ｘ線検出器２２が最下端部に位置する待機位置Ｗで停止する。
【００２０】
画像処理部４０は、架台部２０のデータ伝送部２４から出力されたＸ線投影データを保存する記憶部４１と、記憶部４１に保存されたＸ線投影データを再構成して画像データを生成する再構成部４２と、再構成部４２で生成された画像データ等を表示する表示部４３とを備えている。
【００２１】
操作部５０は、キーボード、トラックボール、ジョイスティック、マウス、ハンドスイッチなどの入力デバイスを備えている。そして、架台部２０へ電力を供給する入力、架台部２０への電力の供給を停止する入力、架台部２０における撮影に関するＸ線の照射条件の入力、寝台部１０の天板１１を移動させる入力、撮影開始の入力、撮影終了の入力等を行う。
【００２２】
システム制御部６０は、ＣＰＵと記憶回路を備え、操作部５０からの操作により入力される入力情報を一旦記憶した後、これらの入力情報に基づいて、寝台部１０における天板１１の移動、架台部２０におけるＸ線の照射及び停止、回転フレーム２７の回転及び停止、画像処理部４０における画像データの生成や表示に関する制御などシステム全体の制御を行う。
【００２３】
次に、図１乃至図４を参照して、架台部２０の加熱部２６の構成の詳細について説明する。  
図２は、加熱部２６の構成を示したブロック図である。この加熱部２６は、Ｘ線検出器２２外周側に近接配置され、Ｘ線検出器２２を加熱する発熱体及びこの発熱体を包囲するゴム材等により構成されたヒータ７０と、Ｘ線検出器２２の温度等を検出するｎ個（ｎは３以上の奇数）のセンサを有するセンサ部７１と、センサ部７１の信号を処理する信号処理部７２と、信号処理部７２で処理された信号に基づいてヒータ７０を駆動制御する加熱制御部７３とにより構成される。
【００２４】
センサ部７１は、例えば３個のセンサを有する。そして、図３に示すように、Ｘ線検出器２２外周側の円弧方向における一端部及び他端部付近に配置された第１のセンサ７１１及び第２のセンサ７１２と、Ｘ線検出器２２とヒータ７０の間の中央付近に配置された第３のセンサ７１３とにより構成される。
【００２５】
第１のセンサ７１１及び第２のセンサ７１２は、Ｘ線検出器２２の温度を検出する温度センサであり、Ｘ線検出器２２の温度に応じて検出する信号を信号処理部７２に出力する。また、第３のセンサ７１３は、ヒータ７０の発熱体の過熱によりゴム材等が溶解して発生する不快な気体状の所定の物質を検出するガスセンサであり、その物質の濃度に応じて検出する信号を信号処理部７２に出力する。
【００２６】
このように、第３のセンサ７１３は、ヒータ７０とＸ線検出器２２の間に配置することにより待機位置Ｗではヒータ７０の上側に位置し、吸気口３０から流入して排気口３１方向へ流動する空気の流れに乗ってヒータ７０から発生した所定の物質が上方へ移動するため、所定の物質を素早く検出することができる。
【００２７】
信号処理部７２は、増幅回路、マルチプレクサ、Ａ／Ｃ変換回路等を備え、センサ部７１の第１乃至第３のセンサ７１１，７１２，７１３からの信号を夫々増幅した後、デジタル信号に変換する。そして、第１のセンサ７１１からの信号を処理し、Ｘ線検出器２２の一端部近傍の温度を示す第１のデータを生成する。また、第２のセンサ７１２からの信号を処理し、Ｘ線検出器２２の他端部近傍の温度を示す第２のデータを生成する。また、第３のセンサ７１３からの信号を処理し、所定の物質の濃度を示す第３のデータを生成する。そして、各第１乃至第３のデータを加熱制御部７３に出力する。
【００２８】
加熱制御部７３は、信号処理部７２から出力される各第１乃至第３のデータが正常であるか否かを判定し、その判定結果に基づいて多数決でヒータ７０が故障しているか否かを判定する。そして、第１乃至第３のデータの内の少なくとも２つのデータが正常である場合、ヒータ７０が正常であると判定し、少なくとも第１のデータ又は第２のデータの正常なデータに基づいてヒータ７０を駆動制御する。また、第１乃至第３のデータの内の少なくとも２つのデータが異常である場合、ヒータ７０が故障していると判定し、ヒータ７０の駆動を停止する。
【００２９】
ここで、各第１乃至第３のデータが正常であるか否かを判定する判定方法の一例について説明する。  
図４は、第１のデータ及び第２のデータの判定に用いる温度の各閾値を示した図である。  
第１のデータが例えば８５℃の限界温度ＴＬよりも高い場合、第１のデータが異常であると判定する。また、第１のデータが限界温度ＴＬ以下であり、且つ、許容上限温度Ｔｍａよりも高い範囲で所定の時間Ｔ１単調に上昇している場合、第１のデータが異常であると判定する。また、第１のデータが許容上限温度Ｔｍａ以下である場合、第１のデータが正常であると判定する。
【００３０】
また、第２のデータが限界温度ＴＬよりも高い場合、第２のデータが異常であると判定する。また、第２のデータが限界温度ＴＬ以下であり、且つ、許容上限温度Ｔｍａよりも高い範囲で所定の時間Ｔ１単調に上昇している場合、第２のデータが異常であると判定する。また、第２のデータが許容上限温度Ｔｍａ以下である場合、第２のデータが正常であると判定する。
【００３１】
なお、第１のデータ又は第２のデータが時間Ｔ１よりも短い時間に限界温度ＴＬを超える突発的な変化については、外気温の影響などが考えられるため、異常であるとは判定せず、例えば突発的異常を示す警告情報として出力させるように実施する。
【００３２】
更に、第３のデータが許容上限濃度よりも高い場合、第３のデータが異常であると判定する。また、第３のデータが許容上限濃度以下である場合、第３のデータが正常であると判定する。
【００３３】
次に、第１乃至第３のデータの内の少なくとも２つのデータが正常であると判定した場合のヒータ７０の駆動制御について説明する。  
加熱制御部７３は、第１乃至第３のデータが全て正常である場合、又は第１のデータ及び第２のデータが正常である場合、第１のデータ又は第２のデータが許容上限温度Ｔｍよりも低く、室温よりも高い許容下限温度Ｔｍｉ未満であるときにヒータ７０を加熱駆動し、第１のデータ及び第２のデータが許容下限温度Ｔｍｉ以上であるときにヒータ７０の加熱駆動を停止する。
【００３４】
なお、第１のデータ及び第２のデータが許容下限温度Ｔｍｉ未満である場合にヒータ７０を加熱駆動し、第１のデータ又は第２のデータが許容下限温度Ｔｍｉ以上である場合にヒータ７０の加熱駆動を停止するように実施してもよい。
【００３５】
また、第１乃至第３のデータの内の第１のデータ又は第２のデータの一方のデータが異常である場合、他方のデータが許容下限温度Ｔｍｉ未満であるときにヒータ７０を加熱駆動し、他方のデータが許容下限温度Ｔｍｉ以上であるときにヒータ７０の加熱駆動を停止する。
【００３６】
このように、第１のデータ又は第２のデータの一方のデータが異常である場合でも、他方のデータに基づいてヒータ７０を駆動制御することができる。
【００３７】
また、第１乃至第３のデータの内の１つのデータが異常である場合、そのデータが異常であることを示す警告情報を、データ伝送部２４を介してシステム制御部６０に出力する。システム制御部６０では、画像処理部４０の表示部４３に警告情報を表示出力させる。このように、第１乃至第３のデータの内の１つのデータが異常である場合、警告情報を表示出力させることにより、異常なデータを示すセンサの異常を通知することができる。
【００３８】
なお、第１のデータ及び第２のデータが正常である場合の第１のデータ又は第２のデータが許容下限温度Ｔｍｉ未満であるときにヒータ７０を加熱駆動してから所定時間経過した後、第１のデータ及び第２のデータが許容下限温度Ｔｍｉ未満である場合にヒータ７０が故障していると判定する。また、第１乃至第３のデータの内の第１のデータ又は第２のデータの一方のデータが異常である場合に他方のデータが許容下限温度Ｔｍｉ未満であるときにヒータ７０を加熱駆動してから所定時間経過した後、他方のデータが許容下限温度Ｔｍｉ未満である場合にヒータ７０が故障していると判定する。
【００３９】
次に、第１乃至第３のデータの内の少なくとも２つのデータが異常であると判定した場合のヒータ７０の駆動停止について説明する。  
加熱制御部７３は、第１乃至第３のデータの内の少なくとも２つのデータが異常である場合、ヒータ７０が故障して過熱していると判定し、その判定した異常情報を、データ伝送部２４を介してシステム制御部６０に出力する。システム制御部６０では、架台部２０で撮影が行われている場合、回転フレーム２７の回転駆動及びＸ線管２１の照射駆動等の撮影動作を停止させる。また、架台部２０で撮影が行われる前又は撮影を終了した後の待機中である場合、操作部５０からの撮影開始の入力を停止させる。
【００４０】
このように、第１乃至第３のデータの内の少なくとも２つのデータが異常である場合、ヒータ７０の駆動を停止させることにより、ヒータ７０が過熱して周囲に与える悪影響を防ぐことができる。また、架台部２０の撮影動作や操作部５０からの撮影開始の入力を停止させることにより、Ｘ線検出器２２への温度影響で画像データの画質が低下して無駄となる撮影を防ぐことができる。
【００４１】
以下、図１乃至図５を参照して、Ｘ線ＣＴ装置１００の動作の一例を説明する。  
図５は、Ｘ線ＣＴ装置１００の動作を示したフローチャートである。操作部５０から架台部２０へ電力を供給する入力が行われると、Ｘ線ＣＴ装置１００は動作を開始する（ステップＳ１）。
【００４２】
システム制御部６０は、架台部２０のファン３２を作動させる。ファン３２は、外部の空気を吸気口３０から架台カバー２９内に流入させ、内部の空気を架台カバー２９外に流出させて架台カバー２９内の各ユニットを冷却する。
【００４３】
加熱部２６におけるセンサ部７１の第１のセンサ７１１及び第２のセンサ７１２は、Ｘ線検出器２２の温度に応じて検出した信号を信号処理部７２に出力する。また、第３のセンサ７１３は、所定の物質の濃度に応じて検出した信号を信号処理部７２に出力する。信号処理部７２は、第１乃至第３のセンサ７１１，７１２，７１３からの信号を処理して第１乃至第３のデータを生成し、生成した第１乃至第３のデータを加熱制御部７３に出力する（ステップＳ２）。
【００４４】
加熱制御部７３は、信号処理部７２から出力された各第１乃至第３のデータが正常であるか否かを判定する（ステップＳ３）。
【００４５】
ステップＳ３の後に、加熱制御部７３は、各第１乃至第３のデータの判定結果に基づいてヒータ７０が正常であるか否かを判定する。そして、第１乃至第３のデータの内の少なくとも２つのデータが正常である場合（ステップＳ４のはい）、ヒータ７０が正常であると判定する。また、第１乃至第３のデータの内の少なくとも２つのデータが異常である場合（ステップＳ４のいいえ）、ヒータ７０又はセンサ部７１が異常であると判定する。
【００４６】
ステップＳ４の「はい」の後に、第１乃至第３のデータが全て正常である場合（ステップＳ５のはい）、ステップＳ７へ移行する。また、第１乃至第３のデータの内の１つのデータが異常である場合（ステップＳ５のいいえ）、加熱制御部７３は、センサ部７１の一部に異常があると判定し、そのデータが異常であることを示す警告情報をシステム制御部６０に出力する。表示部４３は、システム制御部６０からの警告情報を表示出力する（ステップＳ６）。
【００４７】
ステップＳ５の「はい」又はステップＳ６の後に、第１のデータ又は第２のデータが許容下限温度Ｔｍｉ未満である場合（ステップＳ７のはい）、加熱制御部７３は、ヒータ７０を加熱駆動する（ステップＳ８）。その後、ステップＳ２へ戻る。
【００４８】
また、第１のデータ或いは第２のデータの一方のデータが異常であり、他方のデータが許容下限温度Ｔｍｉ以上である場合、又は第１のデータ及び第２のデータが正常であり、第１のデータ及び第２のデータが許容下限温度Ｔｍｉ以上である場合（ステップＳ７のはい）、加熱制御部７３は、ヒータ７０の加熱駆動を停止する（ステップＳ９）。その後、ステップＳ２へ戻る。
【００４９】
ステップＳ４の「いいえ」の後に、加熱制御部７３は、ヒータ７０が異常であると判定し、その判定した異常情報をシステム制御部６０に出力する。システム制御部６０は、撮影が行われている場合に撮影動作を停止させ、待機中である場合に操作部５０からの撮影開始の入力を停止させる（ステップＳ１０）。
【００５０】
そして、操作部５０から架台部２０への電力の供給を停止する入力が行われると、システム制御部６０が架台部２０のファン３２を停止させることにより、Ｘ線ＣＴ装置１００は動作を終了する（ステップＳ１１）。
【００５１】
以上述べた実施形態によれば、Ｘ線検出器２２の温度を検出する第１のセンサ７１１及び第２のセンサ７１２並びにＸ線検出器２２を加熱するヒータ７０の過熱により発生する気体状の所定の物質を検出する第３のセンサ７１３を設け、各第１乃至第３のセンサ７１１，７１２，７１３の信号により生成される各第１乃至第３のデータが正常であるか否かを判定し、判定した判定結果に基づいてヒータ７０が正常であるか否かを判定することができる。
【００５２】
そして、第１乃至第３のデータの内の少なくとも２つのデータが正常である場合、第１のデータ又は第２のデータの正常であると判定したデータに基づいてヒータ７０を駆動制御することができる。また、第１乃至第３のデータの内のいずれか１つのデータが異常である場合、そのデータが異常であることを示す警告情報を表示部４３に表示出力させることができる。
【００５３】
また、第１乃至第３のデータの内の少なくとも２つのデータが異常である場合、ヒータ７０の駆動を停止することができる。そして、その判定した異常情報に基づいて、架台部２０の撮影中における撮影動作及び操作部５０からの撮影開始の入力を停止させることができる。
【００５４】
以上により、ヒータ７０の過熱による周囲への悪影響を防止することができる。
【００５５】
本発明のいくつかの実施形態を説明したが、これらの実施形態は、例として提示したものであり、発明の範囲を限定することを意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
２２  Ｘ線検出器
２６  加熱部
６０  システム制御部
７０  ヒータ
７１  センサ部
７２  信号処理部
７３  加熱制御部
７１１  第１のセンサ
７１２  第２のセンサ
７１３  第３のセンサ
【図１】
0006005944.tif 000002
【図２】
0006005944.tif 000003
【図３】
0006005944.tif 000004
【図４】
0006005944.tif 000005
【図５】
0006005944.tif 000006